【手続補正書】
【提出日】平成20年2月19日(2008.2.19)
【手続補正１】
【補正対象書類名】明細書
【補正対象項目名】特許請求の範囲
【補正方法】変更
【補正の内容】
【特許請求の範囲】
【請求項１】
マウス機能モードと入力機能モードからなる入力ユニットの構成であって、画像を記録する画像記録装置と、前記画像を処理する信号処理装置とを備え、前記マウス機能モードと前記入力機能モードを実現する構成において、
前記入力ユニットの構成が、前記信号処理装置によって前記画像の１つで所定の位置符号化パターンが検出されると、前記入力機能モードから前記マウス機能モードに切り替えるよう構成されていることを特徴とする入力ユニットの構成。
【請求項２】
前記信号処理装置が前記画像の１つで所定の位置符号化パターンとは異なるパターンを検出すると、前記マウス機能モードから前記入力機能モードに切り替えるよう構成されている請求項１に記載の入力ユニットの構成。
【請求項３】
前記マウス機能モードでは、所定の位置符号化パターンに基づいて、ディスプレイ上でカーソルを位置決めする信号を生成するよう構成されている請求項１又は２に記載の入力ユニットの構成。
【請求項４】
所定の位置符号化パターンが、絶対位置符号化パターンの第１のサブセットであって、複数の位置を符号化するものであり、
前記入力ユニットの構成が、前記信号処理装置によって、所定の位置符号化パターンに基づいて前記複数の位置の１つが検出されると、前記入力機能モードから前記マウス機能モードへの切り替えを実行するよう構成されている請求項１〜３のいずれか１つに記載の入力ユニットの構成。
【請求項５】
前記信号処理装置が、前記絶対位置符号化パターンの第２のサブセットにより符号化される位置を検出すると、前記マウス機能モードから前記入力機能モードに切り替えるよう構成されている請求項４に記載の入力ユニットの構成。
【請求項６】
前記絶対位置符号化パターンの第１のサブセットが、前記少なくとも２つの領域に分割されており、
前記入力ユニットの構成が、前記少なくとも２つの領域のうち信号処理装置が検出したほうに基づいて、複数の部分的機能を実行するよう構成されている請求項４又は５に記載の入力ユニットの構成。
【請求項７】
前記絶対位置符号化パターンが、仮想座標面上で絶対位置を符号化するものであり、
前記仮想座標面には、各々が所定の機能モード又は機能モード内の所定の部分的機能に専用の少なくとも２つの一意な領域が定義されている請求項４〜６のいずれか１つに記載の入力ユニットの構成。
【請求項８】
前記仮想座標面の少なくとも一部についての情報を有しており、現在の画像によって符号化される位置を含む領域を識別し、識別された領域と関連付けられている機能モード又は部分的機能を実行するよう構成されている請求項７に記載の入力ユニットの構成。
【請求項９】
前記マウス機能モードが相対的マウス機能を備える請求項１〜８のいずれか１つに記載の入力ユニットの構成。
【請求項１０】
前記マウス機能モードが絶対的マウス機能を備える請求項１〜９のいずれか１つに記載の入力ユニットの構成。
【請求項１１】
前記マウス機能モードがスクロール機能を備える請求項１〜１０のいずれか１つに記載の入力ユニットの構成。
【請求項１２】
前記マウス機能モードが、入力ユニットの構成とやり取りする電子ユニットに対して同じ制御を行うためにコマンドを生成する制御機能を備える請求項１〜１１のいずれか１つに記載の入力ユニットの構成。
【請求項１３】
前記入力機能モードが、画像又はテキスト入力機能を含むスキャナ機能を備える請求項１〜１２のいずれか１つに記載の入力ユニットの構成。
【請求項１４】
前記入力機能モードが写真撮影機能を備える請求項１〜１３のいずれか１つに記載の入力ユニットの構成。
【請求項１５】
前記入力機能モードが手書き記録機能を備える請求項１〜１４のいずれか１つに記載の入力ユニットの構成。
【請求項１６】
画像を記録する画像記録装置と、画像を処理する信号処理装置とを備えており、マウス機能モードを実現するマウス機能モード付きの入力ユニットの構成であって、
前記信号処理装置が、前記画像の１つで絶対位置符号化パターンの一部を検出し、検出された部分に基づいて位置を決定し、少なくとも２つの領域のうち前記位置が属するほうを確定するよう構成されており、
前記信号処理装置が確定する領域に基づいて、複数の機能を実行するよう構成されていることを特徴とする入力ユニットの構成。
【請求項１７】
入力ユニットの構成によって前記少なくとも２つの領域の第１の領域が検出されると、前記入力ユニットの構成とやり取りする電子装置を制御するためにコマンドを生成するように構成されている請求項１６に記載の入力ユニットの構成。
【請求項１８】
前記コマンドが、電子装置のソフトウェアを実行するためのコマンドである請求項１７に記載の入力ユニットの構成。
【請求項１９】
前記信号処理装置で相対的マウス機能に専用の領域内の位置が検出されると相対的マウス機能を実行し、前記信号処理装置で絶対的マウス機能に専用の領域内の位置が検出されると絶対的マウス機能を実行するよう構成されている請求項１６〜１８のいずれか１つに記載の入力ユニットの構成。
【請求項２０】
前記相対的及び前記絶対的マウス機能を実行するために、前記絶対位置符号化パターンに基づいて、ディスプレイ上のカーソルを位置決めする信号を生成するよう構成されている請求項１９に記載の入力ユニットの構成。
【請求項２１】
前記信号処理装置がスクロール機能に専用の領域内の位置を検出すると、スクロール機能を実行するよう構成されている請求項１６〜２０のいずれか１つに記載の入力ユニットの構成。
【請求項２２】
少なくとも第１及び第２の機能付きの入力ユニットの構成であって、画像を記録する画像記録装置と、前記画像を処理する信号処理装置を備える入力ユニットの構成において、
前記信号処理装置が前記画像の１つで所定の位置符号化パターンを検出すると、前記第１の機能から前記第２の機能に切り替えられるよう構成されていることを特徴とする入力ユニットの構成。
【請求項２３】
前記信号処理装置が、前記機能の少なくとも１つを実現するために前記画像を処理することを目的としている請求項２２に記載の入力ユニットの構成。
【請求項２４】
マウスパッド上の位置符号化パターンが、入力ユニットの構成の複数の機能を実現するための少なくとも２つの領域に分割されることを特徴とする位置符号化パターンを装備するマウスパッド。
【請求項２５】
前記少なくとも２つの領域の各々に、前記入力ユニットの構成の何れの機能が前記各々の領域によって実現されているかをユーザに理解できるようにする視覚的指標が備えられる請求項２４に記載のマウスパッド。
【請求項２６】
少なくとも１つの領域が、外付け電子装置を制御するコマンドを生成するためのものである請求項２４又は２５に記載のマウスパッド。
【請求項２７】
前記コマンドが、電子装置でのソフトウェアの実行に関するものである請求項２５に記載のマウスパッド。
【請求項２８】
前記少なくとも２つの領域が、前記入力ユニットの構成の絶対的マウス機能を実現することに専用の領域を含む請求項２４〜２７のいずれか１つに記載のマウスパッド。
【請求項２９】
前記少なくとも２つの領域が、前記入力ユニットの構成のスクロール機能を実現することに専用の領域を含む請求項２４〜２８のいずれか１つに記載のマウスパッド。
【請求項３０】
入力ユニットの構成に、マウス機能モードで、第１から第２の機能に切り替えさせる絶対位置符号化パターンの使用。
【請求項３１】
第１及び第２の機能間における入力ユニットの構成を制御する方法であって、
前記入力ユニットの構成が、画像を記録する画像記録装置と、画像を処理する信号処理装置（２０、２１０）とを備えており、
前記入力ユニットの構成が、前記信号処理装置によって前記画像の１つで所定の位置符号化パターンが検出されると、前記第１機能から前記第２機能へ自動的に切り替えることを特徴とする入力ユニットを制御する方法。
【請求項３２】
前記機能の少なくとも１つが、前記信号処理装置によって処理される画像に基づいている請求項３１に記載の方法。
【請求項３３】
前記入力ユニットの構成が、マウス機能モードの範囲内に複数の機能を備えており、前記信号処理装置によって前記機能間での制御が行われるものであり、
前記信号処理装置は、前記画像の１つで絶対位置符号化パターンの一部を検出し、検出された部分に基づいて位置を決定し、前記２つの領域のうち前記位置が属するほうを確定するものであり、
前記入力ユニットの構成が、前記信号処理装置の確定する領域に依存して前記機能の１つに制御される請求項３１又は３２に記載の方法。
【請求項３４】
前記機能の少なくとも１つにおける入力ユニットの構成が、ディスプレイ上でカーソルを制御するために前記位置を用いる請求項３３に記載の方法。
【請求項３５】
前記マウス機能モードが、相対的マウス機能、絶対的マウス機能、スクロール機能、制御機能の少なくとも１つの機能を備え、
前記制御機能は、入力ユニットの構成とやり取りする電子ユニットに対して同じ制御を行うためにコマンドを生成するものである請求項３３又は３４に記載の方法。
【請求項３６】
前記入力ユニットの構成が、マウス機能モードと入力機能モードを備えており、
前記入力ユニットの構成が、前記信号処理装置によって前記画像の１つで所定の位置符号化パターンが検出されると、前記入力機能モードから前記マウス機能モードに自動的に切り替えられる請求項３１又は３２に記載の方法。
【請求項３７】
前記マウス機能モードと前記入力機能モードが、少なくとも部分的に、前記信号処理装置によって処理される画像に基づいている請求項３６に記載の方法。
【請求項３８】
前記信号処理装置が、前記画像の１つで前記所定の位置符号化パターン以外のパターンを検出すると、前記入力ユニットの構成が、自動的に前記マウス機能モードから前記入力機能モードに切り替えられる請求項３６又は３７に記載の方法。
【請求項３９】
前記所定の位置符号化パターンが絶対位置符号化パターンの第１のサブセットであって、複数の位置を符号化するものであり、
前記信号処理装置が前記所定の位置符号化パターンに基づいて前記複数の位置の１つを検出すると、前記入力ユニットの構成が前記入力機能モードから前記マウス機能モードへの切り替えを実行する請求項３６〜３８のいずれか１つに記載の方法。
【請求項４０】
前記マウス機能モードにおける前記入力ユニットの構成が、ディスプレイ上のカーソルを制御するために、検出された位置を少なくとも部分的に用いる請求項３９に記載の方法。
【請求項４１】
前記信号処理装置が前記絶対位置符号化パターンの第２のサブセットによって符号化された位置を検出すると、前記入力ユニットの構成が前記マウス機能モードから前記入力機能モードへと切り替わる請求項３９又は４０に記載の方法。
【請求項４２】
前記絶対位置符号化パターンの第１のサブセットが少なくとも２つの領域に分割されており、
前記入力ユニットの構成が、前記位置の領域関連付けに応じて前記機能の１つに制御される請求項３９〜４１のいずれか１つに記載の方法。
【請求項４３】
前記入力機能モードが、画像又はテキスト入力機能を含むスキャナ機能、写真撮影機能、手書き記録機能の少なくとも１つの機能を含む請求項３６〜４２のいずれか１つに記載の方法。